(57)【特許請求の範囲】
【請求項１】
複数の原稿が積載される積載部と、
前記積載部に積載された原稿を搬送路に搬送する搬送手段と、
前記搬送手段によって搬送された原稿の画像を読み取る読取手段と、
搬送中の原稿の重送を検知する重送検知手段と、
搬送中の原稿のジャムを検知するジャム検知手段と、
前記重送検知手段により原稿の重送を検知した場合に、原稿の搬送を停止するよう前記搬送手段を制御するとともに、原稿を取り除くことの通知と原稿をさばいてから前記積載部へ積載することをユーザに促す通知を行い、前記ジャム検知手段により原稿のジャムを検知した場合に、原稿の搬送を停止するよう前記搬送手段を制御するとともに、原稿を取り除くことの通知を行い、原稿をさばくことを促す通知を行わない制御手段と、を備えることを特徴とする画像読取装置。
【請求項２】
前記制御手段は、前記重送検知手段により原稿の重送を検知した場合に、重送が発生した旨の通知と共に、原稿をさばいてから前記積載部へ積載することをユーザに促すための通知を行うことを特徴とする請求項１に記載の画像読取装置。
【請求項３】
前記制御手段は、前記原稿をさばいてから前記積載部へ積載することをユーザに促すための通知として、原稿をさばく方法を説明する情報の通知を行うことを特徴とする請求項１又は２に記載の画像読取装置。
【請求項４】
前記制御手段は、前記重送検知手段により原稿の重送を検知した場合に、原稿をさばいてから前記積載部へ積載することをユーザに促すための通知と共に、前記積載部に積載する原稿の枚数を少なくすることをユーザに促すための通知を行うことを特徴とする請求項１乃至３のいずれか１項に記載の画像読取装置。
【請求項５】
前記制御手段は、前記原稿を取り除くことの通知に加えて、前記搬送路に滞留している原稿を取り除く方法の通知を行うことを特徴とする請求項１乃至４のいずれか１項に記載の画像読取装置。
【請求項６】
前記制御手段は、前記重送検知手段により原稿の重送を検知した場合に、前記原稿をさばいてから前記積載部へ積載することをユーザに促すための通知を行った後に、前記搬送路に滞留している原稿を取り除く方法の通知を行うことを特徴とする請求項５に記載の画像読取装置。
【請求項７】
前記制御手段は、前記搬送路に滞留している原稿を取り除くための方法として、少なくとも原稿カバーを開ける方法の通知を行うことを特徴とする請求項５又は６に記載の画像読取装置。
【請求項８】
前記読取手段による読み取りを再開する再開手段を更に備えることを特徴とする請求項１乃至７のいずれか１項に記載の画像読取装置。
【請求項９】
前記読取手段により原稿の読み取りを再開するか否かを受け付ける受付手段を更に備え、
前記制御手段は、前記受付手段が原稿の読み取りを再開するか否かを受け付ける際に、前記原稿をさばいてから前記積載部へ積載することをユーザに促すための通知を行うことを特徴とする請求項８に記載の画像読取装置。
【請求項１０】
前記重送検知手段による重送の発生を検知するか否かを設定する設定手段を更に備え、前記制御手段は、前記設定手段が重送の発生を検知しない設定の場合は、前記原稿をさばいてから前記積載部へ積載することをユーザに促すための通知を行わないことを特徴とする請求項１乃至９のいずれか１項に記載の画像読取装置。
【請求項１１】
前記制御手段は、前記画像読取装置に接続された情報処理装置に通知を行うことを特徴とする請求項１乃至１０のいずれか１項に記載の画像読取装置。
【請求項１２】
複数の原稿が積載される積載部と、
積載部に積載された原稿を搬送路に搬送する搬送手段と、
前記搬送手段によって搬送された原稿の画像を読み取る読取手段と、
搬送中の原稿の重送を検知する重送検知手段と、
搬送中の原稿のジャムを検知するジャム検知手段と、
を備える画像読取装置の制御方法であって、
前記重送検知手段により原稿の重送を検知した場合に、原稿の搬送を停止するよう前記搬送手段を制御するとともに、原稿を取り除くことの通知と、原稿をさばいてから前記積載部へ積載することをユーザに促す通知を行う第１制御工程と、
前記ジャム検知手段により原稿のジャムを検知した場合に、原稿の搬送を停止するよう前記搬送手段を制御するとともに、前記原稿を取り除くことの通知を行い、原稿をさばくことの通知を行わない第２制御工程と、
を備えることを特徴とする画像読取装置の制御方法。
【請求項１３】
請求項１２に記載の画像処理装置の制御方法をコンピュータに実行させるためのプログラム。
【発明の詳細な説明】
【技術分野】
【０００１】
本発明は、原稿の重送を検知する画像読取装置、画像読取装置の制御方法、及び、プログラムに関する。
【背景技術】
【０００２】
原稿の画像を読み取るために自動原稿搬送装置（ＡＤＦ：Ａｕｔｏ  Ｄｏｃｕｍｅｎｔ  Ｆｅｅｄｅｒ）によって原稿を搬送し、その原稿を読み取ることで画像データを生成する画像読取装置がある。また、原稿の重送が発生したことを超音波センサ等の重送検知センサによって検知する画像読取装置がある（例えば、特許文献１）。
【０００３】
特許文献１には、重送検知センサによって原稿の重送を検知したことに従って、原稿の搬送を停止する画像読取装置が記載されている。また、特許文献１には、原稿の重送が発生した旨をユーザに通知し、原稿の画像の読み取りを再開するか、原稿の画像の読み取りを中止するかをユーザに選択させることが記載されている。
【先行技術文献】
【特許文献】
【０００４】
【特許文献１】特開２００８−２７１５３７号公報
【発明の概要】
【発明が解決しようとする課題】
【０００５】
しかしながら、従来の画像読取装置では、重送が発生した旨の通知を受けたユーザが、原稿をさばくことなく、原稿積載部に原稿を置き直して原稿の再読み取りを行うと、再読み取り中に重送が再発するおそれがある。
【０００６】
本発明は、上記の課題に鑑みなされたものであり、重送が発生した場合に、重送の再発を抑制することを目的とする。
【課題を解決するための手段】
【０００７】
上記の目的を達成するために本発明の画像読取装置は、複数の原稿が積載される積載部と、前記積載部に積載された原稿を搬送路に搬送する搬送手段と、  前記搬送手段によって搬送された原稿の画像を読み取る読取手段と、搬送中の原稿の重送を検知する重送検知手段と、搬送中の原稿のジャムを検知するジャム検知手段と、前記重送検知手段により原稿の重送を検知した場合に、原稿の搬送を停止するよう前記搬送手段を制御するとともに、原稿を取り除くことの通知と原稿をさばいてから前記積載部へ積載することをユーザに促す通知を行い、前記ジャム検知手段により原稿のジャムを検知した場合に、原稿の搬送を停止するよう前記搬送手段を制御するとともに、原稿を取り除くことの通知を行い、原稿をさばくことを促す通知を行わない制御手段と、を備えることを特徴とする。
【発明の効果】
【０００８】
本発明によれば、重送が発生した場合に重送の再発を抑制することができる。
【図面の簡単な説明】
【０００９】
【図１】画像読取システムを示すブロック図である。
【図２】読取部の構成を示すブロック図である。
【図３】読取部の断面図である。
【図４】操作部を示す外観図である。
【図５】パネル４０１に表示される操作画面を示す図である。
【図６】パネル４０１に表示される操作画面を示す図である。
【図７】コピーの実行を制御する制御方法を示すフローチャートである。
【図８】コピーの実行を制御する制御方法を示すフローチャートである。
【図９】コピーの実行を制御する制御方法を示すフローチャートである。
【図１０】パネル４０１に表示される操作画面を示す図である。
【図１１】原稿をさばくことをユーザに促すための通知を行う画面を示す図である。
【発明を実施するための形態】
【００１０】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１１】
＜第１の実施形態＞
まず、本発明の第１の実施形態について説明する。第１の実施形態では、原稿を読み取るジョブを実行する。当該ジョブの実行中に、重送検知センサによって原稿の重送を検知したことに従ってスキャンを中断する。また、重送を検知したことに従って、原稿をさばくことをユーザに促すための通知を行うように制御することについて説明する。
【００１２】
図１は、本実施形態に係る画像読取システムを示すブロック図である。本実施形態では画像読取装置の一例としてＭＦＰ（Ｍｕｌｔｉ  Ｆｕｎｃｔｉｏｎ  Ｐｅｒｉｐｈｅｒａｌ）１０１を、情報処理装置の一例としてＰＣ１０２を説明する。ＭＦＰ１０１とＰＣ１０２はネットワーク１００を介して通信可能に接続されている。
【００１３】
なお、図１では、１つの情報処理装置が画像読取システムに設けられた場合を例示しているが、ＭＦＰ１０１と複数の情報処理装置がネットワーク１００を介して通信可能に接続されていてもよい。また、本実施形態の画像読取システムは、ＭＦＰ１０１とＰＣ１０２を含む場合を例示しているが、これに限定されるものではない。例えば、ＭＦＰ１０１のみを画像読取システムと呼んでもよい。
【００１４】
まずＰＣ１０２について説明する。ＰＣ１０２は、アプリケーションプログラム等の各種のプログラムを実行することができる。また、ＰＣ１０２には、ＰＣ１０２からＭＦＰ１０１の読取機能を利用するためのスキャナドライバや、スキャンした画像を加工、整理するためのスキャンアプリケーションがインストールされている。ＰＣ１０２からＭＦＰ１０１に対してスキャン指示を出すことで、ＭＦＰ１０１が備える読取機能を利用することができる。
【００１５】
次に、ＭＦＰ１０１について説明する。ＭＦＰ１０１はシート上の画像を読み取る読取機能、シートに画像を印刷する印刷機能を有する。また、他にもＭＦＰ１０１は、画像データを外部装置に送信するファイル送信機能などを有している。
【００１６】
なお、本実施形態では画像読取装置の一例としてＭＦＰ１０１を説明するが、これに限定されるものではない。原稿の画像を読み取るために原稿を搬送する構成の画像読取装置であれば本実施形態を適用することができる。例えば、印刷機能を備えない単機能のスキャナなどであってもよい。また、画像読取装置は、生成した画像データを内部の保存領域に保存するものであってもよい。また、ＵＳＢ（Ｕｎｉｖｅｒｓａｌ  Ｓｅｒｉａｌ  Ｂｕｓ）などの外部バスを介して画像読取装置に着脱可能な外部メモリ（例えば、ＵＳＢフラッシュドライブ）に保存するスキャナなどであってもよい。本実施例では、一例として画像読取装置が以下に説明する各種構成要件を備えるものとする。
【００１７】
ＣＰＵ（Ｃｅｎｔｒａｌ  Ｐｒｏｃｅｓｓｉｎｇ  Ｕｎｉｔ）１１１を含む制御部１１０は、ＭＦＰ１０１全体の動作を制御する。ＣＰＵ１１１は、ＲＯＭ（Ｒｅａｄ  Ｏｎｌｙ  Ｍｅｍｏｒｙ）１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。ＲＡＭ（Ｒａｎｄｏｍ  Ａｃｃｅｓｓ  Ｍｅｍｏｒｙ）１１３は、ＣＰＵ１１１の主記憶メモリであり、ワークエリア、ＲＯＭ１１２及びストレージ１１４に格納された各種制御プログラムを展開するための一時記憶領域として用いられる。ストレージ１１４は、印刷データ、画像データ、各種プログラム、及び各種設定情報を記憶する。本実施形態ではストレージ１１４としてＨＤＤ（Ｈａｒｄ  Ｄｉｓｋ  Ｄｒｉｖｅ）等の補助記憶装置を想定しているが、ＨＤＤの代わりにＳＳＤ（Ｓｏｌｉｄ  Ｓｔａｔｅ  Ｄｒｉｖｅ）等の不揮発性メモリを用いるようにしても良い。
【００１８】
なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行するようにしてもよい。
【００１９】
操作部インタフェース（Ｉ／Ｆ）１１５は、操作部１１６と制御部１１０を接続する。図４は、操作部１１６を示す外観図である。操作部１１６は、後述する操作画面を表示するパネル４０１及びハードキー入力部４０２からなる。パネル４０１は例えばタッチパネルディスプレイである。ハードキー入力部４０２は、スタートキー４１２などの各種のハードキーを有する。ユーザはパネル４０１に表示されているキーをタッチするか、ハードキー入力部４０２に備えられたハードキーを押下することによって指示を入力する。なお、パネル４０１は、タッチパネル機能を有さないディスプレイであってもよい。この場合、ディスプレイに表示されるキーを選択するためのスクロールキー及び当該キーを決定するための決定キーをハードキーとして有していればよい。操作部１１６は、パネル４０１及びハードキー入力部４０２を介したユーザからの指示を受け付ける受付部として機能し、又、必要に応じてパネル４０１に操作画面を表示する表示部として機能する。
【００２０】
読取部Ｉ／Ｆ１１７は、読取部１１８と制御部１１０を接続する。読取部１１８はシート上の画像を読み取って、画像データを生成する。読取部１１８によって生成された画像データは外部装置に送信されたり、シート上に印刷されたりする。読取部１１８の具体的な構成については図２及び図３を用いて後述する。
【００２１】
印刷部Ｉ／Ｆ１１９は、印刷部１２０と制御部１１０を接続する。印刷すべき画像データは印刷部Ｉ／Ｆ１１９を介して制御部１１０から印刷部１２０に転送される。印刷部１２０は制御部１１０を介して制御コマンド及び印刷すべき画像データを受信し、当該画像データに基づいた画像をシート上に印刷する。印刷部１２０の印刷方式は、電子写真方式であってもよいし、インクジェット方式であってもよい。画像をシートに印刷することができる方法であれば、その他の方法（例えば、熱転写方式等）であってもよい。
【００２２】
また、制御部１１０は、通信部Ｉ／Ｆ１２３を介してネットワーク１００に接続される。通信部Ｉ／Ｆ１２３は、ネットワーク１００上の外部装置に画像データや情報を送信したり、ネットワーク１００上の情報処理装置から印刷データや情報を受信したりする。
【００２３】
＜読取部の構成＞
次に、読取部１１８のハードウェア構成について図２及び図３を用いて説明する。図２は、読取部１１８の制御に関わる構成を示すブロック図である。ＣＰＵ１３１は、読取部１１８の動作を制御する。ＣＰＵ１３１は、ＲＯＭ１３２に記憶された制御プログラムを読み出して、読取制御や制御部１１０とのやりとりなどの各種制御を行う。ＲＯＭ１３２は、ＣＰＵ１３１で実行可能な制御プログラムを格納する。ＲＡＭ１３３は、ＣＰＵ１３１の主記憶メモリであり、ワークエリアや、ＲＯＭ１３２に格納された各種制御プログラムを展開するための一時記憶領域として用いられる。なお、ＣＰＵ１３１、ＲＯＭ１３２及び、ＲＡＭ１３３は、同機能をひとつの集積回路に組み込んだマイクロコントローラで実現されてもよい。
【００２４】
読取部１１８は、更に、画像処理部１４２、ＣＣＤ（Ｃｈａｒｇｅ−Ｃｏｕｐｌｅｄ  Ｄｅｖｉｃｅ）センサ部１４４、原稿検知センサ１４５、モータ制御部１４７、モータ１４８、及び重送検知センサ１４９、及びその他の搬送センサ１４６を有する。また、読取部１１８は、読取部Ｉ／Ｆ１１７を介して制御部１１０に接続されている。
【００２５】
原稿検知センサ１４５は、原稿積載部（原稿給紙トレイ）２０２上に原稿２０３が積載されていることを検知する。なお、原稿検知センサ１４５による検知信号は、読取部Ｉ／Ｆ１１７を介して、ＣＰＵ１１１に伝達される。
【００２６】
モータ１４８は、読取部１１８の後述する原稿給送ローラ２０４、搬送ローラ２０６、大ローラ２０８、ローラ２０９、ローラ２１０、ローラ２１１、及び原稿排出ローラ対２０７の回転を行うために駆動される。また、モータ１４８は、読取部１１８の後述する露光部２１３、及びミラーユニット２１４の移動を行うために駆動される。
【００２７】
なお、本実施形態では、ＣＰＵ１１１がモータ制御部１４７を制御することで、モータ１４８の駆動を制御するようにしているが、これに限定されるものではない。読取部１１８のＣＰＵ１３１がモータ制御部１４７を制御することで、モータ１４８の駆動を制御するようにしてもよい。
【００２８】
重送検知センサ１４９は、原稿の重送が発生したことを検知する。なお、重送検知センサ１４９による検知信号は、読取部Ｉ／Ｆ１１７を介して、ＣＰＵ１１１に伝達される。重送検知センサ１４９の詳細については、図３で後述する。
【００２９】
搬送センサ１４６は、原稿の搬送経路の要所ごとに設けられた複数のセンサであり、ジャムなどの搬送エラーの発生や搬送経路内の原稿の有無を検知する。搬送センサ１４６で搬送エラーの発生が検知されると、後述するメンテナンス画面やガイド画面が操作部１１６に表示される。
【００３０】
ＣＣＤセンサ部１４４で読み取られたデータは、Ａ／Ｄ変換部（不図示）によってアナログ信号からデジタル信号に変換される。その後、デジタル信号は画像処理部１４２によって画像データに変換され、読取部Ｉ／Ｆ１１７を介して、ＲＡＭ１１３に一時格納される。そして、ＣＰＵ１１１の制御により、画像データはストレージ１１４に保存される。
【００３１】
次に、読取部１１８の断面図を用いて自動原稿搬送装置（ＡＤＦ：Ａｕｔｏ  Ｄｏｃｕｍｅｎｔ  Ｆｅｅｄｅｒ）によって原稿２０３の画像の読み取り動作（以降、スキャンと呼ぶ）を行う場合について図３を用いて説明する。図３は、読取部１１８の断面図を示している。
【００３２】
なお、原稿検知センサ１４５によって原稿積載部２０２上に原稿２０３が積載されていることが検知されている場合に、スキャンの実行指示をユーザから受け付けたことに従って、スキャンが開始される。
【００３３】
原稿積載部２０２上に積載された原稿２０３は、対になっている原稿給送ローラ２０４と分離パッド２０５によって、１枚ずつ搬送される。そして、１枚ずつ搬送された原稿２０３は、重送検知センサ１４９を通過する。
【００３４】
重送検知センサ１４９は、原稿の重送が発生したことを検知する。なお、重送とは、２枚以上の原稿の少なくとも一部が重なった状態で搬送される状態のことである。
【００３５】
例えば、超音波を利用した重送検知センサ１４９では、上部センサから超音波を発信し、その変化を下部センサが感知することによって重送を検知する。そして、１枚の原稿２０３が搬送されたときの受信強度を基準にして、実際に検出された信号がこの基準値よりも受信強度が低いときに重送が発生したと判断する。
【００３６】
なお、本実施形態では、超音波を利用したセンサを重送検知センサ１４９の例として説明するが、重送を検知可能であるならば光学センサを利用してもよい。もしくは、原稿２０３の厚みを測定し、その測定データを基準にして、原稿の重送が発生したか否かを判断してもよい。
【００３７】
重送検知センサ１４９を通過した原稿２０３は、搬送ローラ２０６で装置内に送られる。搬送ローラ２０６により搬送された原稿２０３は、搬送センサ１４６の一つである原稿通過検知センサによって検出される。そして、検出時間に基づいて１枚目の原稿２０３の通過が終了したか否かを判定する。
【００３８】
搬送ローラ２０６で装置内に送られた原稿２０３は、大ローラ２０８とローラ２０９によって搬送され、更に、大ローラ２０８とローラ２１０によって搬送される。そして、原稿ガラス２１２に接触する形で原稿ガイド板２１７との間を通って搬送された原稿２０３は、ガイド台２１８を経由した後、大ローラ２０８とローラ２１１によって更に搬送されて、原稿排出ローラ対２０７により原稿排出トレイ２２２に排出される。なお、ＣＰＵ１１１は、各ローラをモータ１４８による駆動によってそれぞれ回転させ、原稿２０３を搬送するものとする。また、搬送センサ１４６の一つである排出センサは、排出トレイ２２２に原稿が排出されることを検出する。
【００３９】
原稿２０３が原稿ガラス２１２上を通過する際に、原稿ガラス２１２に接している面が露光部２１３によって露光されて、原稿２０３の画像が主走査方向及び副走査方向に対して読み取られる。結果として得られる原稿２０３からの反射光が複数のミラーを介して、ミラーユニット２１４に伝達される。そして、伝達された反射光はレンズ２１５を通過し、集光されて、ＣＣＤ（Ｃｈａｒｇｅ  Ｃｏｕｐｌｅｄ  Ｄｅｖｉｃｅ）センサ部１４４によって電気信号のデータに変換される。ＣＣＤセンサ部１４４から出力されるデータは、前述した画像処理部１４２により画像データに変換され、制御部１１０へ転送される。
【００４０】
なお、本実施形態では、読取部１１８が備える光学系は、原稿２０３からの反射光をＣＣＤセンサ上に結像する縮小光学系である場合について説明したが、これに限らない。読取部１１８が備える光学系は、原稿２０３からの反射光をＣＩＳ（Ｃｏｎｔａｃｔ  Ｉｍａｇｅ  Ｓｅｎｓｏｒ）上に結像する等倍光学系であってもよい。
【００４１】
なお、読取部１１８によって実行される原稿２０３の画像の読み取り動作は、光学系の位置を固定し、ＡＤＦによって原稿２０３を搬送させながら、原稿２０３の画像を読み取る場合について説明したが、これに限らない。原稿２２０をプラテンガラス２２１（原稿台）に搬送した後、原稿２２０の位置を固定させ、モータ１４８の駆動により光学系を移動させることによって原稿２２０の画像を読み取ることもできる。
【００４２】
カバー２５０は、ＡＤＦの搬送経路の一部分を覆うカバーである。また、カバー２５０は、支点軸２５１を中心として回動し、開閉可能に構成されている。ユーザは、カバー２５０を開いて、搬送経路に詰まっている原稿や搬送経路で停止した状態の原稿を取り除くジャム処理などの作業を行うことができる。なお、カバー２５０が開いた状態であるか、閉じた状態であるかを検出する不図示の開閉センサを備えていてもよい。
【００４３】
以降、搬送経路内で原稿詰まりが発生した（原稿ジャムが発生した）場合や、重送が発生した場合を合わせて、搬送エラーと呼ぶ。なお、原稿詰まりが発生した場合、ユーザはローラ２０９と大ローラ２０８に挟まれている原稿を搬送方向と逆方向に引っ張って原稿を取り除くことができる。また、ユーザは、原稿の位置が排出トレイ２２２に近い場合には各ローラを手動で回転させるためのノブ（不図示）を用いて原稿を搬送して取り除いたりすることもできる。
【００４４】
本実施形態では、これらの原稿の取り除き方をユーザに分かりやすく提示するメンテナンス画面をパネル４０１に表示することができる。例えば、メンテナンス画面は、カバーを開けて原稿を取り除くことや、搬送経路内の原稿を取り除く方法について、画像や動画などを用いてユーザに提示することができる。メンテナンス画面の詳細については後述する。
【００４５】
＜重送検知時の処理＞
ＭＦＰ１０１の読取部１１８で原稿を読み取る場合に、重送が発生すると、複数枚重なった原稿が搬送路を流れるため、途中で原稿ジャムが発生する可能性が高い。また、原稿ジャムが発生しなかったとしても、２枚重なった状態で画像が読み取られるため、原稿の一部が欠損した状態の画像データが生成されることになる。
【００４６】
そこで、本実施形態では、重送が発生した場合に重送が検知されたことをユーザに通知する制御を行う。ここでは、原稿の画像の読み取りを再開する前に、原稿をさばくことをユーザに通知して、読み取りを再開させる方法について説明する。
【００４７】
まず、重送の起こる要因について説明する。例えば、長い間保管されていた原稿は、静電気などで用紙間の密着力が高くなっている場合がある。また、高湿の環境下では、用紙間密着力が上昇している場合がある。
【００４８】
このように、原稿同士が密着している場合は、給送ローラ２０４と分離パッド２０５で、複数枚の原稿から１枚の原稿に分離することができず、複数枚の原稿が重なったまま給送されてしまう。
【００４９】
従って、重送を抑制するには原稿間の密着を解消する必要がある。具体的には、原稿積載部２０２上に載置する原稿の用紙と用紙の間に空気を入れてすき間を作ることで用紙間の密着を剥がすように紙をさばくことが有効である。
【００５０】
従って、重送の発生を抑制するための情報の一例としては、前述した紙をさばく旨の情報や、紙のさばき方を図示した情報が考えられる。
【００５１】
なお、大量の原稿が原稿積載部２０２に積載される場合、原稿自身の重量により原稿同士が密着する場合がある。従って、ユーザが原稿をさばいて、原稿間の密着を解消したとしても、大量の原稿が原稿積載部２０２に積載されてしまうと、原稿自身の重量により原稿同士が密着する恐れがある。これを鑑みて、紙をさばく旨の情報や、紙のさばき方を図示した情報に加えて、積載する原稿の枚数を減らす旨の情報を通知することもできる。
【００５２】
ところで、重送が検知された場合には、ユーザはカバー２５０を開いて、重送した原稿を取り除くことになる。また、重送の検知と、搬送経路内での原稿の詰まりが同じタイミングで発生することも考えられる。
【００５３】
従って、本実施形態においては、重送が検知された場合に、重送を抑制するための情報だけでなく、カバーを開けて原稿を取り除くことや原稿を取り除く方法についてもユーザに提示する。例えば、本実施形態では、重送の再発を抑制するための情報を表示する画面（以降、ガイド画面と呼ぶ）とメンテナンス画面の両方を表示する。具体的な画面の表示方法の一例について、図５を用いて説明する。
【００５４】
図５は、図２に示した読取部１１８の重送検知センサ１４９で重送の発生が検知された場合にパネル４０１に表示される画面の一例を示す図である。
【００５５】
図５（ａ）は、ガイド画面の一例を示すものである。また、図５（ｂ）、（ｃ）はメンテナンス画面の一例を示すものである。図５（ｄ）は、原稿の再読み取りを待機する画面の一例を示すものである。
【００５６】
ＣＰＵ１１１は、コピー機能やファイル送信機能などで、原稿が読み取られている際に重送検知センサ１４９で重送の発生を検知すると、原稿の搬送を中断する。また、ＣＰＵ１１１は、パネル４０１に図５（ａ）に示すガイド画面５０４を表示する。
【００５７】
情報５０３は、原稿の取り除き方をユーザにイラストで説明する情報である。ここでは、カバーを開けて原稿を取りだす場合を例示している。また、情報５０５は、複数枚の原稿のさばき方をユーザにイラストで説明する情報である。ここでは、ユーザが原稿を重ねて持ち、原稿を少し反らせて、原稿の一端をめくって原稿と原稿の間にすき間を作る場合を例示している。このイラストによりユーザに原稿のさばき方を伝えることができる。なお、本実施形態では、複数枚の原稿のさばき方をイラストで説明する場合を例示しているがこれに限定されるものではない。アニメーションや動画などを用いて原稿のさばき方を説明するようにしてもよい。また、文字情報でさばき方を説明するようにしてもよい。
【００５８】
情報５０６は、重送が発生したことをユーザに通知するための情報である。また、情報５０６は、紙を取り除く必要があることと、重送の再発を抑制するために原稿をさばく必要があることをユーザに通知するための情報である。また、情報５０６では、「次の手順へ」に進むことで原稿を取り除くための方法の説明に進めることを例示している。
【００５９】
また、「次の手順へ」キー５０７は、次の手順を表示する画面に遷移するためのキーである。
【００６０】
「次の手順へ」キー５０７が押下されたことをＣＰＵ１１１が検出すると、ＣＰＵ１１１はパネル４０１に図５（ｂ）に示すカバーオープン画面５０８を表示する。画面５０８では、搬送路に滞留した原稿を除去するための作業内容の一例として、読取部１１８のカバー２５０を開ける旨のメッセージが表示されている。領域５１０は、メンテナンス方法を表示する領域である。ＣＰＵ１１１は、この領域にカバー２５０を開閉するアニメーションや動画などを領域５１０に表示することで、原稿を取り除く方法をユーザに提示する。
【００６１】
また、「次の手順へ」キー５０９は、次の手順を表示する画面に遷移するためのキーである。また、ユーザは「前の手順へ」キーを押下して、前の画面に戻ることもできる。
【００６２】
画面５０８が表示された状態で、「次の手順へ」キーが押下されたことをＣＰＵ１１１が検出すると、ＣＰＵ１１１は図５（ｃ）に示すジャム処理画面５１１をパネル４０１に表示する。なお、カバー２５０が開けられたことを開閉センサ（不図示）によって検知し、画面５１１を表示するようにしてもよい。
【００６３】
画面５１１では、搬送路に滞留した原稿を除去するための作業内容を提示している。領域５１２は、原稿を取り除く方法を表示する領域である。ＣＰＵ１１１は、原稿を取り除く方法を図示したイラストを表示したり、原稿の取り除き方を説明する動画などを領域５１２に表示したりして、原稿を取り除く方法をユーザに提示する。また、原稿を取り除いた後にカバーを閉じる旨のイラストや動画なども領域５１２に表示される。
【００６４】
ＣＰＵ１１１は、搬送センサ１４６及び開閉センサなどに基づいて、エラー解除できる状態であると判断すると、パネル４０１に図５（ｄ）に示す再読取待機画面５１３を表示する。情報５１４は、原稿を再セットしてスタートキーを押下することで、処理を再開できることをユーザに通知する情報である。ユーザはスタートキー４１２を押下して、原稿の読み取りを再開することができる。スタートキー４１２が押下されたことをＣＰＵ１１１が検出すると、ＣＰＵ１１１は、重送発生前に表示されていたコピー機能やファイル送信機能などの画面を表示する。
【００６５】
また、中止キー５１５は、実行中のコピー機能や、ファイル送信機能などを中止する際に使用するキーである。ユーザは中止キーを押下することで、これまで読み取った原稿を破棄して、実行中の処理を中止することができる。中止キー５１５が押下されたことをＣＰＵ１１１が検出すると、ＣＰＵ１１１は、パネル４０１に不図示のメイン画面を表示する。
【００６６】
次に、重送の再発を抑制するための情報を表示する具体的な制御について、ＭＦＰ１０１が備えるコピー機能を例示して説明する。
【００６７】
まず、コピーの設定について説明する。図６は、パネル４０１に表示されるコピー画面の一例を示すものである。図６（ａ）は、設定画面６０１の一例を示している。また、図６（ｂ）は、コピー処理の実行画面６０３の一例を示している。
【００６８】
ＭＦＰ１０１のユーザは、パネル４０１に表示される不図示のメイン画面から、コピー機能を選択することができる。メイン画面にはＭＦＰ１０１が備える各種機能（例えば、コピー機能、ファイル送信機能、ファイル保存機能など）を起動するためのボタン（アイコン）が選択可能に表示されているものとする。
【００６９】
ＣＰＵ１１１は、メイン画面が表示された状態で、コピー機能のボタンがユーザによって押下されたことに従って、図６（ａ）に示す設定画面６０１を表示する。
【００７０】
ユーザは、設定画面６０１を介して様々なコピー設定を行うことができる。例えば、ユーザは部数の設定や、モノクロ又はカラーの切り替え、両面印刷の設定など様々な設定を行うことができる。なお、コピージョブの設定は、ここに例示していない多数の設定項目がある。そのため同一画面内で全ての設定を行うことは困難である。従って設定項目ごとに個別の設定画面に遷移して、複数の機能の設定を行うものとする。
【００７１】
重送検知キー６０２は、重送検知をＯＮとするかＯＦＦとするかを選択するためのキーである。ユーザは、重送検知キー６０２を用いて重送検知設定をＯＮにするかＯＦＦにするか切り替えることができる。設定画面６０１では重送検知設定がＯＮの状態を例示している。
【００７２】
設定画面６０１が表示された状態で、スタートキー４１２が押下されたことをＣＰＵ１１１が検出すると、ＣＰＵ１１１は、コピー処理を開始する。ＣＰＵ１１１は、読取部１１８による原稿の読取動作を開始すると共に、図６（ｂ）に示すコピーの実行画面６０３をパネル４０１に表示する。
【００７３】
次に、コピー処理を例として、重送の再発を抑制するための情報を表示する具体的な制御方法について、図７乃至図９に示したフローチャートを用いて説明する。
【００７４】
図７乃至図９に示すフローチャートの各動作（ステップ）は、ＣＰＵ１１１がＲＯＭ１１２又はストレージ１１４に記憶された制御プログラムをＲＡＭ１１３に読み出し、実行することにより実現される。なお、各動作を実現する制御プログラムの一部は、別のＣＰＵ（例えば、読取部１１８のＣＰＵ１３１など）などで実行され、制御プログラム同士が協働することで実現されてもよい。
【００７５】
Ｓ７０１では、ＣＰＵ１１１は、コピージョブの実行指示を受け付けたか否かを判定する。ＣＰＵ１１１は、受け付けたと判定した場合（Ｓ７０１でＹＥＳ）、Ｓ７０２に処理を進める。一方、ＣＰＵ１１１は、Ｓ７０１でＮＯと判定した場合、受け付けたと判定するまでＳ７０１の処理を繰り返す。具体的には、図６（ａ）に示す設定画面６０１がパネル４０１に表示されている状態で、スタートキー４１２がユーザによって押下されたことに従って、コピージョブの実行指示が受け付けられる。また、ＣＰＵ１１１は、コピージョブの実行指示が受け付けられた場合に、パネル４０１にコピーの実行画面６０３を表示する。
【００７６】
Ｓ７０２では、ＣＰＵ１１１は、原稿２０３の画像の読み取り（スキャン）に係る一連の処理が正常に終了したか否かを表すためのフラグ（以降、スキャン終了フラグと呼ぶ）の値を「ＦＡＬＳＥ」に設定（初期化）する。なお、スキャン終了フラグの値はＲＡＭ１１３に一時的に記憶される。
【００７７】
なお、スキャン終了フラグが「ＴＲＵＥ」の場合は、スキャンが正常に終了したことを表す。一方、スキャン終了フラグが「ＦＡＬＳＥ」の場合は、スキャンが正常に終了しなかったことを表す。例えば、スキャンの中止指示を受け付けた場合や、コピージョブの実行がキャンセルされた場合等において、ＣＰＵ１１１は、スキャンが正常に終了しなかったと判断し、スキャン終了フラグの値を「ＦＡＬＳＥ」に書き換える。ＣＰＵ１１１は、Ｓ７０２の処理を実行した後、Ｓ８００のスキャン処理に進む。Ｓ８００では、ＣＰＵ１１１は、スキャンに係る一連の処理を実行する。
【００７８】
続いて、スキャンに係る一連の処理（Ｓ８００）の詳細について、図８に示したフローチャートを用いて説明する。
【００７９】
Ｓ８０１で、ＣＰＵ１１１は、読取部１１８を制御して、原稿積載部２０２上に積載された原稿２０３を搬送させる。
【００８０】
Ｓ８０２では、ＣＰＵ１１１は、Ｓ８０１で搬送された原稿の搬送エラーが発生したか否かを判断する。ＣＰＵ１１１は、読取部１１８を制御して、複数の搬送センサ１４６の出力値や、駆動モータの回転数などを取得する。次にＣＰＵ１１１は、取得した値に基づいて原稿の滞留（詰まり）が発生しているか否かを判断する。原稿の滞留が発生している場合は、搬送エラーが発生したと判断して、Ｓ８０９に進む。
【００８１】
更に、ＣＰＵ１１１は、重送検知センサ１４９の出力値を取得する。コピー設定で重送検知設定がＯＮに設定されている場合且つ重送検知センサ１４９が重送を検知している場合にも、搬送エラーが発生したと判断して、Ｓ８０９に進む。
【００８２】
一方、原稿の滞留が発生していない場合、又は、重送を検知していない場合（重送検知設定がＯＦＦの場合も含む）は、搬送エラーが発生していないと判断し、Ｓ８０５に進む。
【００８３】
なお、ＣＰＵ１１１は、重送検知設定がＯＦＦの場合は、重送検知センサ１４９が重送を検知していたとしても搬送エラーが発生していないものとして、Ｓ８０３に進む。
【００８４】
Ｓ８０３では、ＣＰＵ１１１は、読取部１１８を制御して、Ｓ８０１で搬送された原稿２０３が原稿ガラス２１２上を通過する際に、原稿を読み取ってデータを生成させる。次に、Ｓ８０４では、ＣＰＵ１１１は、読取部１１８を制御して、Ｓ８０４で読み取られたデータを画像処理部１４２で画像データに変換させる。ＣＰＵ１１１は、読取部１１８を制御して、変換された画像データをＲＡＭ１１３に一時的に格納する。
【００８５】
Ｓ８０５では、ＣＰＵ１１１は、読取部１１８を制御して、原稿の読み取りが完了したか否かを判断する。具体的には、ＣＰＵ１１１は、搬送センサ１４６により原稿の後端が検知され、読み取り処理及び画像データへ変換処理が完了した場合に、原稿の読み取りが完了したと判断し、Ｓ８０６に進む。一方、原稿の搬送中や、画像データへの変換処理中であれば、原稿の読み取りが完了していないと判断し、Ｓ８０３に戻る。
【００８６】
Ｓ８０６では、ＣＰＵ１１１は、Ｓ８０４でＲＡＭ１１３に一時格納された画像データをストレージ１１４に保存する。Ｓ８０７では、ＣＰＵ１１１は、原稿給送トイレ上に原稿が載置されているか否かを判断する。具体的には、ＣＰＵ１１１は、読取部１１８を制御して、原稿検知センサ１４５の出力値を取得する。取得した値に基づいて、原稿積載部２０２上に原稿２０３が積載されているか否かを判断する。ＣＰＵ１１１は、原稿積載部２０２上に原稿２０３が載置されていると判断した場合は、Ｓ８０１に戻り、次の原稿の読み取りを行う。原稿積載部２０２上に原稿２０３が積載されていないと判断した場合は、Ｓ８０８に進む。Ｓ８０８では、ＣＰＵ１１１は、ＲＡＭ１１３に記憶されているスキャン終了フラグの値を「ＴＲＵＥ」に書き換え、ステップＳ７０３に処理を進める。
【００８７】
次に、搬送エラーが発生した場合の処理（Ｓ８０２でＹｅｓ）について説明する。Ｓ８０９では、ＣＰＵ１１１は、読取部１１８を制御し、スキャンを中断する。ＣＰＵ１１１は、スキャンの中断に伴い、原稿２０３の搬送や、原稿２０３の画像の読み取りを停止させて、Ｓ８１０に進む。
【００８８】
Ｓ８１０では、ＣＰＵ１１１は、Ｓ８０４でＲＡＭ１１３に一時格納された画像データを削除して、Ｓ９００に進む。Ｓ９００では、ＣＰＵ１１１は、搬送エラーに対するリカバリ処理を実行する。Ｓ９００の処理では、搬送エラーのリカバリが行われ、また、スキャンを再開するか否かのフラグが設定される。リカバリ処理の一連の流れについては、図９のフローチャートを用いて後述する。
【００８９】
Ｓ８１１では、ＣＰＵ１１１は、Ｓ９００の一連のリカバリ処理で設定されたスキャン再開フラグの値を参照し、「ＦＡＬＳＥ」であれば、一連のスキャン処理を終了し、図７のＳ７０３に進む。また、この際にＣＰＵ１１１は、リカバリに関する画面を閉じて、パネル４０１に表示する画面をコピーの実行画面（画面６０３）に切り替える。
【００９０】
一方、「ＴＲＵＥ」であれば（「ＦＡＬＳＥ」でなければ）、Ｓ８０１に戻り、ユーザによって再度載置された原稿２０３の読み取り処理を行う。また、この際にＣＰＵ１１１は、リカバリに関する画面を閉じ、パネル４０１に表示する画面をコピーの実行画面（画面６０３）に切り替える。
【００９１】
なお、Ｓ８１１の処理では、Ｓ９００のリカバリ処理でスキャンを中止する指示がなされた場合に、スキャン終了フラグを「ＦＡＬＳＥ」のままスキャン処理を終了することになる。従って、後述する処理で、コピーを中止することができる。
【００９２】
次に、リカバリ処理（Ｓ９００）の詳細について、図９に示したフローチャートを用いて説明する。
【００９３】
Ｓ９０１では、ＣＰＵ１１１は、重送をユーザに通知するか否かを判断する。具体的には、ＣＰＵ１１１は、重送検知センサ１４９の出力値を取得する。コピー設定で重送検知設定がＯＮに設定されている場合且つ重送検知センサが重送を検知している場合は、重送検知を通知すると判断して、Ｓ９０２に進む。一方、コピー設定で重送検知設定がＯＦＦに設定されている場合や、重送検知センサ１４９が重送を検知していない場合は、Ｓ９０４に進む。
【００９４】
なお、Ｓ９０１の処理は、原稿が重送していない場合や、重送検知設定が明示的にＯＦＦに設定されている場合に、重送の抑制を防止する画面が表示されないように制御するための処理である。この処理により重送が発生していない場合には、ユーザが原稿をさばく手間を減らすことができる。
【００９５】
Ｓ９０２では、ＣＰＵ１１１は、パネル４０１に重送を抑制するための情報を含む画面を表示する。具体的には、ＣＰＵ１１１は、パネル４０１にガイド画面５０４を表示し、Ｓ９０３に進む。
【００９６】
Ｓ９０３では、ＣＰＵ１１１は、カバーオープン画面５０８に表示を切り替える事象が発生したか否かを判断する。具体的には、ＣＰＵ１１１は、「次の手順へ」キー５０７が押下された場合に、Ｓ９０４に進み、キー５０７が押下されない場合はＳ９０２に戻る。
【００９７】
Ｓ９０４では、ＣＰＵ１１１は、パネル４０１にカバーオープン画面５０８を表示し、Ｓ９０５に進む。また、ＣＰＵ１１１は、領域５１０にアニメーションや動画などを表示する場合は、パネル４０１に表示される領域５１０を所定時間ごとに更新する（例えば３０ＦＰＳ（Ｆｒａｍｅ  Ｐｅｒ  Ｓｅｃｏｎｄ）など）。
【００９８】
Ｓ９０５では、ＣＰＵ１１１は、ジャム処理画面５１１に表示を切り替える事象が発生したか否かを判断する。具体的には、ＣＰＵ１１１は、画面５０８の「次の手順へ」キー５０９が押下された場合にＳ９０６に進み、キー５０９が押下されない場合はＳ９０４に戻り、必要に応じてパネル４０１に表示される画面を更新する。なお、キー５０９を備えず、カバー２５０が開かれたことを不図示の開閉センサにより検知した場合にＳ９０６に進むようにしてもよい。更に、キー５０９の押下又は開閉センサによる検知のどちらの場合であっても、切り替える事象が発生したと判断して、Ｓ９０６に進むようにしてもよい。
【００９９】
Ｓ９０６では、ＣＰＵ１１１は、ジャム処理画面５１１をパネル４０１に表示し、Ｓ９０７に進む。また、ＣＰＵ１１１は、領域５１２にアニメーションや動画などを表示する場合は、パネル４０１に表示される領域５１２を所定時間ごとに更新する（例えば３０ＦＰＳなど）。なお、Ｓ９０６で表示する情報は、適宜変更することもできる。例えば、ＣＰＵ１１１は、原稿検知センサ１４５、搬送センサ１４６、重送検知センサ１４９などの各種センサの出力値を取得する。また、取得した出力値に応じて、紙詰まりが起こっている箇所を推定する。次に、推定された箇所に基づいた原稿を取り除く方法を表示するようにすればよい。
【０１００】
Ｓ９０７では、ＣＰＵ１１１は、搬送エラーのリカバリが完了したか否かを判断する。具体的には、ＣＰＵ１１１は、読取部１１８を制御して、複数の搬送センサ１４６の出力値を取得する。取得した値に基づいて全ての搬送センサ１４６で原稿を検知していないと判断すると、リカバリが完了したと判断し、Ｓ９０８に進む。一方、いずれかの搬送センサ１４６で原稿が検知されていると判断すると、Ｓ９０６に戻り、必要に応じてパネル４０１に表示される画面を更新する。
【０１０１】
なお、Ｓ９０７において、更に不図示の開閉センサに基づいてカバーが閉じられたことを検出した場合に、リカバリが完了したと判断するようにしてもよい。この場合、ＣＰＵ１１１は、搬送センサ１４６で原稿を検知していない場合、且つ開閉センサによってカバーが閉じられていることを検知した場合に、Ｓ９０８に進むようにする。
【０１０２】
Ｓ９０８では、ＣＰＵ１１１は、パネル４０１に再読取待機画面（画面５１３）を表示し、Ｓ９０９に進む。Ｓ９０９では、ＣＰＵ１１１は、中止キー５１５が押下された場合は、ステップＳ９１１に進み、中止キー５１５が押下されない場合は、Ｓ９１０に進む。
【０１０３】
Ｓ９１１では、ＣＰＵ１１１は、原稿２０３の画像の読み取り（スキャン）を再開するか否かを表すためのフラグ（以降、スキャン再開フラグと呼ぶ）の値を「ＦＡＬＳＥ」に設定し、一連のリカバリ処理を終了する。なお、スキャン再開フラグは、ＲＡＭ１１３に一時的に格納されるフラグである。リカバリ処理が完了すると、Ｓ８１１に進む。
【０１０４】
一方、Ｓ９１０では、ＣＰＵ１１１は、スタートキー４１２が押下された場合は、Ｓ９１２に進み、スタートキー４１２が押下されない場合は、Ｓ９０９に戻り、キーの押下を待つ。Ｓ９１２では、ＣＰＵ１１１は、スキャン再開フラグの値を「ＴＲＵＥ」に設定し、一連のリカバリ処理を終了する。リカバリ処理が完了すると、Ｓ８１１に進む。
【０１０５】
前述したように、一連のスキャン処理（Ｓ８００）及びスキャン処理中に搬送エラーが発生した場合のリカバリ処理（Ｓ９００）を経て、スキャン処理が完了すると、図７のＳ７０３に進むことになる。
【０１０６】
図７の説明に戻りＳ７０３では、ＣＰＵ１１１は、スキャン終了フラグの値を参照し、「ＴＲＵＥ」であれば、Ｓ７０４の印刷処理に進む。一方、スキャン終了フラグの値を参照し、「ＦＡＬＳＥ」であれば、Ｓ７０４をスキップして、Ｓ７０５に進む。
【０１０７】
Ｓ７０４では、ＣＰＵ１１１は、Ｓ８０６でストレージ１１４に保存された画像データを印刷部１２０に転送する。また、印刷部１２０を制御して、シートに画像を印刷させる。Ｓ８０６でストレージ１１４に保存された画像の印刷が完了すると、Ｓ７０５に進む。
【０１０８】
Ｓ７０５では、ＣＰＵ１１１は、Ｓ８０６でストレージ１１４に保存された画像データを削除して、コピー処理を終了する。
【０１０９】
以上が、第１の実施形態に係るＭＦＰ１０１において、コピージョブの実行指示を受け付けて、受け付けたコピージョブを実行するための一連の処理である。
【０１１０】
なお、Ｓ９００において、原稿を取り除く処理を行う前に、重送の再発を抑制するための情報として、原稿をさばくことをユーザに促すための情報を表示する場合を例示したが、上記の情報を表示するタイミングはこれに限定されるものではない。例えば、原稿を取り除く処理の実行中に原稿をさばくことをユーザに促すための情報を表示するようにしてもよい。また、原稿を取り除く処理が完了した後に原稿をさばくことをユーザに促すための情報を表示するようにしてもよい。この場合、ＣＰＵ１１１は、Ｓ９０４乃至Ｓ９０７の処理を先に実行し、その後Ｓ９０１に示す重送を通知するか否かの判定を行う。また、重送を通知すると判定した場合は、Ｓ９０８で、画面５１３に代えて、原稿をさばくことをユーザに促すための情報を含む再読取待機画面を表示するようにすればよい。図１０は、パネル４０１に表示される再読み取り画面の一例を示したものである。情報１００１は、原稿をさばいてから、原稿をセットして、スタートキーを押す必要があることをユーザに通知するものである。また、情報１００２は、原稿をさばくことをユーザに促すための情報の一例であり、原稿をさばくことをユーザに分かりやすく伝えるためのイラストが表示される。情報１００３は、紙をさばく旨の情報や、紙のさばき方を図示した情報に加えて、表示する情報の一例であり、原稿をセットする枚数を少なくすると重送を抑制できる旨をユーザに通知するための情報である。
【０１１１】
このように、ユーザが再読み取りの指示を行う前などに、原稿をさばくことをユーザに促すための情報を表示するようにすることができる。また、情報１００３に例示するように重送の再発を抑制するための他の情報をユーザに提示するようにしてもよい。
【０１１２】
以上説明したように、本実施形態では、重送が発生した場合に、ユーザが原稿をさばくことを通知する情報を見た上で処理を進めることができるようになる。
【０１１３】
更に、本実施形態では、重送が検知された場合に、原稿を取り除く方法についてもユーザに通知することができる。従って、ユーザは、重送が発生した場合に、原稿カバーの開け方や、重送した原稿を取り除く方法を確認しながら、原稿を取り除くことができる。
【０１１４】
また、原稿をさばくことをユーザに促すための情報をユーザに提示するか否かの制御を行うことができる。例えば、搬送エラーが発生しているが、重送を検知していない場合、即ち、搬送エラーが重送によるものではない場合は、原稿をさばくことをユーザに促すための情報を表示することなく、原稿を取り除くためのメンテナンス画面を表示することができる。また、重送検知設定がＯＦＦに設定されている場合にも、原稿をさばくことをユーザに促すための情報を表示することなく、原稿を取り除くためのメンテナンス画面を表示することができる。従って、原稿をさばくことをユーザに促すための情報が必要とされる場合に当該情報を表示することができるようになる。
【０１１５】
更に本実施形態では、重送が発生した場合にガイド画面（Ｓ９０２で表示される画面５０４）を先に表示することができる。この場合、重送が発生した場合に最初に表示される画面に、ユーザがこれから行うべき作業（原稿を取り除くこと、及び、原稿をさばくこと）が記載されているため、ユーザは復帰までに行うべき作業を把握した上で、作業を行うことができる。これに加えて、ユーザが明示的に「次の手順へ」ボタンが押下されるまで、原稿をさばくことをユーザに促すための情報が表示されるように制御する。この処理により、ユーザが原稿をさばくことをユーザに促すための情報を見落してしまうことを抑制することができる。
【０１１６】
＜その他の実施形態＞
第１の実施形態においては、コピー機能における読取制御について説明したが、本発明は、原稿を読み取る他の機能にも適用可能である。具体的には、ＭＦＰ１０１がスキャンした原稿を外部装置に送信するファイル送信機能にも適用できる。更に、ＭＦＰ１０１がスキャンした原稿をＭＦＰ１０１が読み書き可能な保存領域に格納する保存機能にも適用できる。
【０１１７】
更に、ＰＣ１０２が単機能のスキャナに対してスキャン指示を出し、スキャナに原稿を読み取らせ、スキャンした画像をＰＣ１０２の保存領域に格納する場合にも適用できる。この場合、ＰＣ１０２の制御プログラム（例えばスキャナドライバ）と単機能のスキャナの読取制御プログラムが協働して前述した制御を行うことになる。単機能のスキャナは、図１乃至図３を説明した構成の中でも、原稿の読取やＰＣ１０２とのデータのやりとりに必要な構成を備えているものとする。ただし、原稿を流し読みする搬送経路の形状や外観などは適宜変更されてもよい。
【０１１８】
更に単機能のスキャナに対して本実施形態を適用する場合は、重送や紙詰まりの通知はＰＣ１０２の操作部（不図示）に対して行うようにしてもよい。例えば、ＰＣ１０２は、ＭＦＰ１０１から重送が発生した旨の情報を受信し、図１１に示すような紙詰まり及び重送に関する画面を操作部に表示する。
【０１１９】
画面１１００は、ＰＣ１０２の操作部に表示されるウィンドウの一例を示している。情報１１０１は、原稿を取り除く必要があることと、重送の再発を抑制するために原稿をさばく必要があることをユーザに通知するための情報である。また、情報１１０２は、重送の再発を抑制するための情報の一例であり、原稿をさばくことをユーザに分かりやすく伝えるためのイラストが表示される。また、情報１１０３は、紙をさばく旨の情報や、紙のさばき方を図示した情報に加えて、表示する情報の一例であり、原稿をセットする枚数を少なくすると重送を抑制できる旨をユーザに通知するための情報である。
【０１２０】
このように本発明は、原稿の重送を検知できる画像読取装置や当該画像読取装置を含むシステムに対して適用することができる。
【０１２１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２２】
１０１  ＭＦＰ
１１１  ＣＰＵ
１１０  制御部
１１８  読取部
１４９  重送検知センサ
１４６  搬送センサ
【図１】
0006655899.tif 000002
【図２】
0006655899.tif 000003
【図３】
0006655899.tif 000004
【図４】
0006655899.tif 000005
【図５】
0006655899.tif 000006
【図６】
0006655899.tif 000007
【図７】
0006655899.tif 000008
【図８】
0006655899.tif 000009
【図９】
0006655899.tif 000010
【図１０】
0006655899.tif 000011
【図１１】
0006655899.tif 000012